(57)【特許請求の範囲】
【請求項１】
複数のネットワーク・スケジュール制約に基づき、ネットワークタスクをスケジューリングするためのクライアント装置であって、
１以上の無線インタフェースと、
プロセッサと、
インストラクションを有する少なくとも１つのコンピュータプログラムを含むコンピュータで読取り可能な媒体と
を備え、
前記インストラクションは、前記プロセッサによって実行された場合に、前記クライアント装置に、
第１のネットワークに関連する１以上のタスクを、対応する１以上の時間的制約に関する要求に従って分類させ、
第２のネットワークに関連する１以上のタスクに少なくとも部分的に基づいて、タスクのスケジュールを決定させ、当該決定されたタスクのスケジュールは、前記第１のネットワークに関連する前記１以上のタスクと、前記第２のネットワークに関連する前記１以上のタスクとを、前記１以上の時間的制約に関する要求に基づいて、かつ、前記第１のネットワークと前記第２のネットワークとの間の協調レベルとは独立に順序付け、
前記決定されたスケジュールを実行させる
ように構成されたことを特徴とするクライアント装置。
【請求項２】
前記対応する時間的制約に関する要求は、少なくとも時間的制約を有するタスクと、時間的制約を有しないタスクとを含み、
前記インストラクションは、前記プロセッサによって実行された場合に前記クライアント装置に、前記第２のネットワークに関連する前記１以上のタスクを１以上の第２の対応する時間的制約に関する要求に従って分類させるように更に構成されていることを特徴とする請求項１に記載のクライアント装置。
【請求項３】
前記第２のネットワークはデータ専用ネットワークであり、前記第２のネットワークに関連する前記１以上のタスクは時間的制約を有しないことを特徴とする請求項２に記載のクライアント装置。
【請求項４】
前記１以上の無線インタフェースは少なくともＬＴＥ（Long Term Evolution）インタフェースと、ＣＤＭＡ １Ｘインタフェースとを含むことを特徴とする請求項１に記載のクライアント装置。
【請求項５】
前記クライアント装置のスケジューリング・エンジンが前記第１のネットワークと前記第２のネットワークのための前記タスクのスケジュールを決定することを特徴とする請求項１に記載のクライアント装置。
【請求項６】
前記スケジューリング・エンジンは、前記第１のネットワークと関連づけられた第１のベースバンド・プロセッサ及び前記第２のネットワークと関連づけられた第２のベースバンド・プロセッサと結合されていることを特徴とする請求項５に記載のクライアント装置。
【請求項７】
ハイブリッド・ネットワーク動作における複数のネットワーク・スケジュール制約に基づいて、クライアント装置のタスクをスケジューリングする方法であって、
クライアント装置において、
第１のネットワークの１以上のタスクを、対応する時間的制約に関する要求に従って分類する工程と、
第２のネットワークの１以上のタスクに少なくとも部分的に基づいて、タスクのスケジュールを決定する工程と、
前記決定されたスケジュールを実行する工程と
を含み、
前記決定されたタスクのスケジュールは、前記第１のネットワークに関連する前記１以上のタスクと、前記第２のネットワークに関連する前記１以上のタスクとを、前記１以上の時間的制約に関する要求に基づいて、かつ、前記第１のネットワークと前記第２のネットワークとの間の協調レベルとは独立に順序付けることを特徴とする方法。
【請求項８】
前記対応する時間的制約に関する要求は、少なくとも時間的制約を有するタスクと、時間的制約を有しないタスクとを含むことを特徴とする請求項７に記載の方法。
【請求項９】
前記対応する時間的制約に関する要求は、時間的制約に関する１以上の閾値を含むことを特徴とする請求項７に記載の方法。
【請求項１０】
前記時間的制約に関する１以上の閾値は、（i）時間的制約のあるページングの監視（Ｐ１）、（ii）より時間が重視されないアイドル・モード手順（Ｐ２）、（iii）時間的制約はないが割り込み可能でない手順（Ｐ３）のための閾値を含み、
前記第１のネットワークはＣＤＭＡ １Ｘ準拠のネットワークであり、前記第２のネットワークはＬＴＥ準拠のネットワークであり、
前記決定されたスケジュールはＣＤＭＡ １Ｘ Ｐ１タスクを含み、その後にＬＴＥタスクが続き、その後にＣＤＡＭ １Ｘ Ｐ２及びＰ３タスクが続く
ことを特徴とする請求項９に記載の方法。
【請求項１１】
前記対応する時間的制約に関する要求は、１以上のサービス品質（QoS）に関する要求を含むことを特徴とする請求項７に記載の方法。
【請求項１２】
前記対応する時間的制約に関する要求は、ページング・チャネル動作を含む１以上の周期的なイベントに基づくことを特徴とする請求項７に記載の方法。
【請求項１３】
前記第２のネットワークはデータ専用ネットワークであって、前記第２のネットワークの前記１以上のタスクは時間的制約を有しないことを特徴とする請求項７に記載の方法。
【請求項１４】
前記第１のネットワークはＣＤＭＡ １Ｘに準拠したネットワークを含み、前記第２のネットワークはＬＴＥ（Long Term Evolution）に準拠したネットワークを含むことを特徴とする請求項７に記載の方法。
【請求項１５】
ハイブリッド・ネットワーク動作のためのネットワークタスクをスケジューリングするためのクライアント装置であって、
１以上の無線インタフェースと、
プロセッサと、
インストラクションを含む少なくとも１つのコンピュータプログラムを含むコンピュータで読取り可能な媒体と
を備え、
前記インストラクションは、前記プロセッサによって実行された場合に、前記クライアント装置に、
第１のネットワークに関連する１以上のタスクを時間的制約の第１のセットに基づき分類させ、
第２のネットワークに関連する１以上の優先タスクを時間的制約の第２のセットに基づき分類させ、
前記第１のネットワークに関連する前記１以上のタスクと前記第２のネットワークに関連する前記１以上の優先タスクとを、前記第１のネットワークと前記第２のネットワークとの間の協調レベルとは独立にインタリーブさせることを特徴とするクライアント装置。
【請求項１６】
前記１以上の優先タスクは１以上のサービス品質（QoS）に関する要求に従って更に分類されることを特徴とする請求項１５に記載のクライアント装置。
【請求項１７】
前記１以上の優先タスクは、前記第２のネットワークの１以上のページング・チャネル動作を更に含むことを特徴とする請求項１５に記載のクライアント装置。
【請求項１８】
前記１以上の優先タスクは、前記第２のネットワークの１以上の無線測定を更に含むことを特徴とする請求項１５に記載のクライアント装置。
【発明の詳細な説明】
【技術分野】
【０００１】
本出願は、それぞれが本明細書に参照として組み込まれる米国特許出願６１／４８８，６６３（２０１１年５月２０日出願、名称「ハイブリッド・ネットワーク環境におけるスケジューリングされた動作の最適化のための装置および方法」）、米国特許出願６１／５９８，８２４（２０１２年２月１４日出願、名称「ハイブリッド・ネットワーク環境におけるスケジューリングされた動作の最適化のための装置および方法」）、米国特許出願６１／５９９，３２５（２０１２年２月１５日出願、名称「ハイブリッド・ネットワーク環境におけるスケジューリングされた動作の最適化のための装置および方法」）、に対する優先性を主張する同時出願された米国特許出願１３／４７５，６５５（２０１２年５月１８日出願、名称「ハイブリッド・ネットワーク環境におけるスケジューリングされた動作の最適化のための装置および方法」）に対する優先権を主張する。
【０００２】
本出願は、それぞれが本明細書に参照として組み込まれる、共有および同時係属の同時出願された米国特許出願１３／４７５，４８２（２０１２年５月１８日出願、名称「ハイブリッド・ネットワーク環境におけるクライアント・サーバ間のインタラクションのための装置および方法」）、同時出願された米国特許出願１３／４７５，８０２（２０１２年５月１８日出願、名称「ハイブリッド・ネットワーク動作に支援されるネットワークのための装置および方法」）、米国特許出願６１／＿＿＿＿＿＿（２０１１年４月２５日出願、名称「デュアル・ネットワークの携帯機器無線リソース管理」）、米国特許出願６１／＿＿＿＿＿＿（２０１１年４月２２日出願、名称「複数無線アクセス技術間の共存を支援する単一無線機器」）、米国特許出願６１／＿＿＿＿＿＿（２０１１年４月６日出願、名称「複数ネットワークの携帯機器接続管理」）、米国特許出願６１／＿＿＿＿＿＿（２０１１年１月１４日出願、名称「デュアル回路構造を有する複数モードのユーザ装置」）に関連する。
【０００３】
本発明は一般的に、たとえば任意の１つ以上のいくつかのネットワークを使用してクライアント機器が通信できるハイブリッド・ネットワーク動作のような異種無線システム内での動作に関連する。より具体的には、ある典型的な態様において、本発明はネットワーク・スケジューリングの制約に基づくクライアント機器のタスクの知的なスケジューリングのための方法および装置に関する。
【背景技術】
【０００４】
セルラーネットワークのオペレータは、たとえばセルラー基地局、基地局コントローラ、インフラストラクチャ・ノードなどのネットワーク・インフラストラクチャを通じて、公衆へ移動体通信サービスを提供する。セルラーネットワーク技術には様々な種類があり、歴史的にセルラー機器は単一のセルラーネットワーク内での動作に特化していた。しかしながら、セルラー技術が次第に商用化されるにつれ、機器は今やいわゆる「マルチモード」動作、つまり単一機器が２つ以上のセルラーネットワークにおいて動作する動作モードを提供できるようになった。マルチモード動作によって、機器はいくつかのネットワーク技術のうちの任意の１つでの動作が可能になるが、複数ネットワーク技術で同時に動作することはできない。
【０００５】
初期の研究はいわゆる「ハイブリッド」ネットワーク動作を対象にしている。ハイブリッド・ネットワーク動作では、クライアント機器は、技術の異なる複数の異なるネットワーク中で同時に動作する。ある典型的な例では、ハイブリッド機器は（ｉ）Ｌｏｎｇ  Ｔｅｒｍ  Ｅｖｏｌｕｔｉｏｎ（ＬＴＥ）および（ｉｉ）Ｃｏｄｅ  Ｄｉｖｉｓｉｏｎ  Ｍｕｌｔｉｐｌｅ  Ａｃｃｅｓｓ  ｌＸ（ＣＤＭＡ  ｌＸ）ネットワークの両方をサポートできる。即ち、機器は第１のＬＴＥネットワークと第２のＣＤＭＡ  １Ｘネットワーク間の同時接続を実施できる。たとえば、ＬＴＥ／ＣＤＭＡ  １Ｘハイブリッド機器は、携帯機器はＬＴＥモードである一方で、ＣＤＭＡ  １Ｘネットワークで音声通話を実施できる。別の例では、ハイブリッド機器は（ｉ）ＣＤＭＡ  １Ｘ−ＥＶＤＯ（Ｅｖｏｌｕｔｉｏｎ  Ｄａｔａ  Ｏｐｔｉｍｉｚｅｄ）および（ｉｉ）ＣＤＭＡ  １Ｘネットワークの両方をサポートできる。
【０００６】
ハイブリッド・ネットワーク動作のための既存の解決法は、クライアント機器がネットワーク間で自身の動作を管理することに頼っている。特に、クライアント機器は様々なサービス・ネットワークへのアクティブな接続を維持する責任があり、既存のネットワーク設備に要求される変更はない（すなわち、ハイブリッド・ネットワーク動作はネットワーク・インフラストラクチャのレガシーなハードウェアおよびソフトウェアに影響を与えない）。クライアント中心のハイブリッド動作はいくつかの利点を有する。たとえば、ネットワークオペレータには（もしあったとしても）ほんの少しのインフラストラクチャ・コストしかかからない。さらに、ハードウェア・コストは消費者機器の価格に組み込むことができる。加えて、ハイブリッド・ネットワーク動作は既存のレガシー機器に影響を与えないであろう。同様に、ハイブリッド動作が可能な機器は通常の動作もまた可能である。
【０００７】
しかしながら、ハイブリッド・ネットワーク動作のための既存の解決法は、構成ネットワーク間の相互連携を要求しないため、クライアント機器は必然的に特定のスケジューリングの衝突を経験する。たとえば、携帯機器が第１のＬＴＥネットワークに付属している間、携帯機器は（機器がページングされているか判断するためのＱｕｉｃｋ  Ｐａｇｉｎｇ  Ｃｈａｎｎｅｌ（ＱＰＣＨ）の復号のような）ＣＤＭＡ  １Ｘの処理を実行するため、ＬＴＥネットワークから定期的に「離脱」しなければならない。離脱期間中に携帯機器がＬＴＥネットワークからのデータを受信していれば、このデータは失われる。さらに、離脱した携帯機器は任意のブロードキャストされる更新されたネットワーク・リソース情報または制御データを見逃すことになり、これは携帯機器が（少なくとも一時期）ＬＴＥネットワークへのアクセスを禁止される結果をもたらしうる。
【０００８】
それゆえ、ネットワークのスケジューリング制約に基づくクライアント機器のタスクの知的なスケジューリングのための改善された方法および装置が必要とされる。
【発明の概要】
【０００９】
本発明は、とりわけネットワーク・スケジューリングの制約に基づくクライアント機器のタスクの知的なスケジューリングのための改善された装置および方法の提供によって、前述の要求をみたす。
【００１０】
本発明の一態様においては、複数のネットワーク・スケジュール制約に基づいて、ネットワークタスクの知的スケジューリングを実行するクライアント装置が開示される。ある典型的な実施形態において、クライアント装置は１以上の無線インタフェースと、プロセッサと、少なくとも１つのコンピュータプログラムを含むコンピュータ読取り可能な媒体とを含む。ある変形例では、少なくとも１つのコンピュータプログラムは、プロセッサによって実行された場合に、対応する時間的制約に関する要求に従い、第１のネットワークに関連する１つ以上のタスクを分類し、第２のネットワークに関連する１つ以上のタスクに少なくとも部分的に基づいて第１のネットワークの時間的に柔軟性のあるタスクのスケジュールを決定し、当該決定されたスケジュールは、第１のネットワークに関連する１以上のタスクと第２のネットワークに関連する１以上のタスクとを１以上の時間的制約に関する要求に基づいて順序付け、決定されたスケジュールを実行するように構成される。
【００１１】
別の変形例において、対応する時間的制約に関する要求は、少なくとも時間的制約を有するタスクと、時間的制約を有しないタスクとを含む。特定の他の変形例において、少なくとも１つのコンピュータプログラムは、１以上の第２の対応する時間的制約に関する要求に従い、第２のネットワークに関連する１以上のタスクを分類するよう追加的に構成される。また他の変形例において、第２のネットワークはデータ専用ネットワークであり、第２のネットワークに関連する１つ以上のタスクは実質的に時間的制約を有しない。
【００１２】
ある典型的な実施において、１つ以上の無線インタフェースは少なくともＬＴＥ(Long Term Evolution)インタフェースとＣＤＭＡ  １Ｘインタフェースとを含む。
【００１３】
本発明の第２の態様では、複数のネットワーク・スケジュール制約に基づいて、クライアント装置のタスクの知的スケジューリングを実行する方法が開示される。一実施形態においては、当該方法は、第１のネットワークの１以上のタスクを、対応する時間的制約に従って分類する工程と、第２のネットワークの１以上のタスクに少なくとも部分的に基づいて、第１のネットワークの時間的に柔軟性のあるタスクのスケジュールを決定する工程と、決定されたスケジュールを実行する工程とを含む。
【００１４】
ある変形例において、対応する時間的制約に関する要求は、少なくとも時間的制約を有するタスクと、時間的制約を有しないタスクとを含む。他の変形例において、対応する時間的制約に関する要求は１以上の時間的制約に関する閾値、又は、１以上のサービス品質（ＱｏＳ）に関する要求を含む。
【００１５】
別の変更において、方法は追加的に、第２のネットワークの１以上のタスクに関する１以上の情報の受信する工程を備える。
【００１６】
ある典型的な実施形態において、対応する時間的制約に関する要求は１以上の周期的なイベントに基づく。たとえば、１つ以上の定期的なイベントは、ページング・チャネル動作を含む。ある従属的な変形例では、第２のネットワークはデータ専用ネットワークであって、第２のネットワークの１以上のタスクは時間的制約を有しない。
【００１７】
別の実施形態では、第１のネットワークはＣＤＭＡ  １Ｘに準拠したネットワークであって、第２のネットワークはＬＴＥ（Long Term Evolution）に準拠したネットワークである。
【００１８】
本発明の第３の態様では、ハイブリッド・ネットワーク動作のためのネットワークタスクの知的スケジューリングを実施するように構成されたクライアント装置が開示される。ある実施形態において、クライアント装置は１以上の無線インタフェースと、プロセッサと、少なくとも１つのコンピュータプログラムを含むコンピュータ読取り可能な媒体とを含む。少なくとも１つのコンピュータプログラムは、プロセッサによって実行された場合、第１のネットワークに関連する１以上のデータ専用のタスクを分類し、第２のネットワークに関連する１以上の優先タスクを分類し、１以上のデータ専用タスクと１以上の優先タスクとをインタリーブするように構成される。
【００１９】
ある変形例では、優先タスクは時間的制約、および／または、サービス品質（ＱｏＳ）に関する要求に従って分類される。
【００２０】
別の変形例では、１以上の優先タスクは、第２のネットワークの１以上のページング・チャネル動作を含む。類似の変更では、１以上の優先タスクは、第２のネットワークの１以上の無線測定を含む。
【００２１】
ある実施形態において、第１のネットワークはＬＴＥ（Long Term Evolution）に準拠したネットワークである。
【００２２】
本発明の第４の態様では、１以上のネットワークのスケジューリング制約に基づいて、クライアント機器のタスクの知的スケジューリングを実行するための方法が開示される。ある実施形態において、当該方法は、第１のネットワークの１以上のタスクを対応する時間的制約に従って分類する工程と、第２のネットワークの１つ以上のタスクに少なくとも部分的に基づいて第１のネットワークの時間的に柔軟性を有するタスクのスケジュールを決定する工程と、決定されたスケジュールを実行する工程と、を含む。
【００２３】
発明の第５の態様では、１以上のネットワークのスケジューリング制約に基づいてクライアント機器のタスクの知的スケジューリングを実行する装置が開示される。第１の実施形態において、ネットワークは実質的に非同期であり、装置はタスクの時間的制約に従って１以上のネットワーク・リソースをスケジュールするように構成されたスケジューリング・エンジンを含む。
【００２４】
発明の第６の態様では、コンピュータで読取り可能な格納装置が開示される。ある実施形態において、当該装置は、少なくとも１つのコンピュータプログラムを記憶する記憶媒体を含む。少なくとも１つのプログラムは、実行された場合に（ｉ）対応する時間的制約に従って第１のネットワークの１以上のタスクを分類し、（ｉｉ）第２のネットワークの１以上のタスクに少なくとも部分的に基づいて第１のネットワークの時間的な柔軟性を有するタスクのスケジュールを決定し、（ｉｉｉ）決定されたスケジュールを実行する、ように構成される。
【００２５】
発明の第７の態様では、ハイブリッド・ネットワーク・システムが開示される。ある実施形態において、システムは、少なくとも２つのネットワークと、当該ハイブリッド・ネットワーク・システムのクライアント機器とを備え、クライアント機器は、少なくとも２つのネットワークのスケジュール要求に基づき１以上のタスクをスケジューリングする。
【００２６】
発明の第８の態様では、ハイブリッド・ネットワーク動作およびタスクのスケジューリングが可能なクライアント機器が開示される。
【００２７】
本発明の他の特徴および利点は、以下の典型的な実施形態に関する添付図面および詳細な説明を参照することで当業者であれば直ちに理解するだろう。
【図面の簡単な説明】
【００２８】
【図１】本発明との関連で有用なある典型的なハイブリッド・ネットワーク・システムを示す論理ブロック図。
【図２】本発明に対応する、複数ネットワークのスケジューリング制約に基づくクライアント機器のタスクの知的なスケジューリングのための、一実施形態の一般化された方法を詳述する論理フロー図。
【図３】ＬＴＥネットワークおよびＣＤＭＡ １Ｘネットワークの文脈における図２の方法のある典型的な実施を詳述する論理フロー図。
【図４】本発明に従って構成されたユーザ装置（ＵＥ）の例となる実施形態の機能ブロック図。
【発明を実施するための形態】
【００２９】
以下図面を参照して説明するが、図面において同一の数字は同一部分を全体を通じて指し示すものである。
【００３０】
［概要］
本発明の様々な態様はとりわけクライアント機器向けの方法であって、ハイブリッド・ネットワークにおいてタスクに適切に優先度を割当て、再スケジューリングする方法を提供する。実施形態の一例において、ＣＤＭＡ  １ＸおよびＬＴＥネットワークで動作するＵＥは、ＬＴＥネットワーク動作への影響を最小限にするため、ＣＤＭＡ  １Ｘネットワークの様々な時間的制約のあるタスクと、時間的制約のないタスクのスケジュールを決定する。
【００３１】
たとえば、以下でより詳細に説明するように、ハイブリッド・モードＵＥはＣＤＭＡ  １Ｘのメンテナンス・タスクをＰ１（時間的制約がある）、Ｐ２（時間的制約がない）、Ｐ３（時間的制約がなく、割り込みが不可能）として優先度を付ける。典型的なＵＥは、ＬＴＥのタスクをＰ１  ＣＤＭＡ  １Ｘタスクの付近にスケジューリングするが、Ｐ２およびＰ３  ＣＤＭＡ  １Ｘタスクは、ＬＴＥ動作に対する影響を最小限にするよう柔軟に前倒しおよび遅延させられる。
【００３２】
以下、本発明の様々な他の実施形態についてより詳細に説明する。
【００３３】
［典型的な実施形態の詳細な説明］
本発明の典型的な実施形態および態様はここで詳細に説明される。これらの実施形態および態様はＬｏｎｇ  Ｔｅｒｍ  Ｅｖｏｌｕｔｉｏｎ（ＬＴＥ）、Ｃｏｄｅ  Ｄｉｖｉｓｉｏｎ  Ｍｕｌｔｉｐｌｅ  Ａｃｃｅｓｓ  １Ｘ（ＣＤＭＡ  １Ｘ）セルラーネットワークおよびＣＤＭＡ  １Ｘ  ＥＶＤＯ（Ｅｖｏｌｕｔｉｏｎ  Ｄａｔａ  Ｏｐｔｉｍｉｚｅｄ）の文脈で主として議論される一方、本発明はそれに限定されず、ＴＤ−ＬＴＥ（Ｔｉｍｅ−Ｄｉｖｉｓｉｏｎ  Ｌｏｎｇ−Ｔｅｒｍ  Ｅｖｏｌｕｔｉｏｎ）、ＴＤ−ＬＴＥ−Ａｄｖａｎｃｅｄ、ＴＤ−ＳＣＤＭＡ（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）およびＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの他のセルラー技術に用いることができることは、当業者に認識されるだろう。実際、発明の様々な態様は、ネットワーク・スケジューリング制約に基づきクライアント機器のタスクの知的なスケジューリングによって利益を得られる任意のネットワーク（セルラー、無線、有線またはその他）の組み合わせで有用である。
【００３４】
さらに、発明の装置および方法の典型的な実施形態が、他のネットワーク（たとえばＬＴＥ）への影響を軽減もしくは排除するために、１つのネットワーク（たとえばＣＤＭＡ  １Ｘ）のたとえば時間的制約のあるタスク、又は、時間的制約のないタスクのスケジューリングの観点から開示される一方、（ｉ）これらの役割は逆にされてよく（たとえばいくつかのＬＴＥネットワークのタスクはＣＤＭＡ  １Ｘネットワークへの影響を最小化するようにリスケジュールされうる）、（ｉｉ）協調的なやり方も実施されてよい（たとえば、両方のネットワークが両方のネットワークへの影響を最小化するようにタスクをスケジュールする）ことは自明だろう。
【００３５】
［ＬＴＥ／ＣＤＭＡ  １Ｘハイブリッド・ネットワーク動作］
図１は典型的なハイブリッド・ネットワーク・システム１００を示す。典型的なハイブリッド・ネットワークは、ユーザ装置（ＵＥ）クライアント機器１０４と通信する第１のＬＴＥ  ＲＡＮ（ｒａｄｉｏ  ａｃｃｅｓｓ  ｎｅｔｗｏｒｋ）１０２Ａおよび第２のＣＤＭＡ  １Ｘ  ＲＡＮ  １０２Ｂを含む。図１に示すように、ＬＴＥ  ＲＡＮおよびＣＤＭＡ  １Ｘ  ＲＡＮは同期されていなくてもよく、他のＲＡＮの動作を全く意識しない。他のシナリオでは、ＲＡＮはより高いレベルで協調してもよく、たとえばＲＡＮはそれらの動作の特定の態様において大まかに同期、または正確に同期されてよい。
【００３６】
ＬＴＥ／ＣＤＭＡ  １Ｘハイブリッド・モード動作中、ＵＥ１０４は、ＬＴＥネットワークに登録される一方でＣＤＭＡ  １Ｘ  音声通話をかけることができる。ＵＥはＬＴＥネットワーク又はＣＤＭＡ  １Ｘネットワークからのデータまたは制御メッセージを受信または応答することができるが、残念ながら、本シナリオでのＵＥは両方のネットワークに対し同時に応答することはできない。そのような実施形態の１つでは、ＵＥは、ユーザによる音声通話が影響を受けないようにするために、ＬＴＥ（データ）トラフィックよりＣＤＭＡ  １Ｘ（音声通話）トラフィックを常に優先する。他の実施形態は他の優先順位付け方式を有してよい（たとえば、トラフィックの型、機器利用の履歴などに基づき、音声通話は低優先度とする）。
【００３７】
本文脈においては、多くの動作はＵＥの切り替えに大きく影響されてよい。たとえば、その全体が参考文献として組み込まれる、共有および同時係属の同時出願された米国特許出願６１／４８８，６４９（２０１１年５月２０日出願、名称「ハイブリッド・ネットワーク環境におけるクライアント・サーバ間のインタラクションのための装置および方法」）で開示されるように、割り込まれたメンテナンス・タスクは、非常に望ましくない挙動（たとえば、ネットワークが制約されたり、機器が不適切に管理されたりするなど）の一因となりうるデータ破損および／またはエラーを招きうる。前述の開示がハイブリッド動作向けネットワーク管理の修正のための方法および装置を提供する一方で、スケジューリングの衝突を軽減するためのクライアント機器のさらなる改善が有用だろう。
【００３８】
特に、ＵＥ１０４がＬＴＥネットワーク１０２Ａに接続するとすぐ、ＵＥはＣＤＭＡ  １Ｘセルの取得、取得されたＣＤＭＡ  １Ｘセルへの登録、及び、ＣＤＭＡ  １Ｘページングの受信といったＣＤＭＡ  １Ｘのメンテナンス活動を実行するため、ＬＴＥネットワークへの接続を定期的に離脱することになる。ＣＤＭＡ  １Ｘネットワーク１０２Ｂ無線状況に依存し、一実施形態におけるこれらの活動は８０ミリ秒（８０ｍｓ）から数秒（４ｓ−６ｓ）まで変動しうる。さらに、ＵＥがＣＤＭＡ  １Ｘネットワークで音声通話を受信もしくは発信する際、ＬＴＥ接続は中断されてよい。
【００３９】
本発明の様々な実施形態は、第２のネットワークの動作を改善するため、第１のネットワークの柔軟なネットワーク・メンテナンスタスクを優先し、スケジュールを決める。たとえば、ＣＤＭＡ  １ＸはＬＴＥ動作を改善するための柔軟に管理されうる特定のタスクを有する。したがって、クライアント機器は、ＬＴＥネットワーク動作に対して様々なＣＤＭＡ  １Ｘタスクを前倒しまたは遅延させることを確かにすることで、ハイブリッド・ネットワークの性能を向上させることができる。
【００４０】
［ＴＤ−ＬＴＥ／ＴＤ−ＳＣＤＭＡネットワーク動作］
技術的に理解されるように、ＬＴＥ時分割複信（ＬＴＥ  ＴＤＤ）としても知られる時分割ＬＴＥ（ＴＤ−ＬＴＥ）は、周波数分割（ＦＤ）−ＬＴＥと類似である。周波数分割複信の場合、ダウンリンクおよびアップリンクは異なる周波数を利用して送信される。時分割複信では、ダウンリンクおよびアップリンクは同一周波数で、呼の各指示が特定のタイムスロットへ割り当てられるよう、分離は時間領域で生じる。同様に、時分割同期符号分割多元接続（ＴＤ−ＳＣＤＭＡ）は、同一フレームの異なるタイムスロットを用いてトラフィックのアップリンク（携帯端末から基地局へ）およびダウンリンク（基地局から携帯端末へ）を許可する。本発明の実施形態は、図２を参照して説明する手法の実施のような、ハイブリッド・ネットワークにおけるこれらの技術を同時および／又は個別に（他の技術と組み合わせて）使用する場合について検討する（ここに示した無線アクセス技術の１つ以上の異なる組み合わせの使用は除く）。
【００４１】
ＴＤ−ＬＴＥおよびＴＤ−ＳＣＤＭＡの両方に関する典型的な実施形態では、ＴＤ−ＬＴＥネットワークへ接続されたＵＥは、セル選択、登録、およびページングの受信のようなＴＤ−ＳＣＤＭＡ活動を実行するために、ＴＤ−ＬＴＥネットワークから定期的に（またはイベント駆動または他の基準で）離脱することになる。
【００４２】
［ＴＤ−ＬＴＥ／ＧＳＭネットワーク動作］
技術的に理解されるように、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）はセルラー技術の標準であり、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、および３Ｇ（第３世代）ＵＭＴＳとしても知られているＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）を含む数多くの進歩を展開してきた。
【００４３】
ＴＤ−ＬＴＥとＧＳＭの両方に関する典型的な実施形態では、ＴＤ−ＬＴＥネットワークに接続されたＵＥは、セル選択、登録、およびページングの受信のようなＧＳＭ動作を実行するために、定期的に（またはイベント駆動でまたは他に基づき）ＴＤ−ＬＴＥネットワークからその無線を離脱させることになる。
【００４４】
［方法］
図２を参照して、複数ネットワークのスケジューリング制約に基づく、クライアント機器のタスクの知的なスケジューリングのための一般化された方法２００の一実施形態を説明する。１つのシナリオでは、クライアント機器は第１のネットワークに接続され、第１のネットワークは、クライアント機器の他のネットワークへの接続を完全に意識しない。また、第１のネットワークは隣接ネットワークの限定的な情報を有してよい。当該情報は、例えばタイミング情報、登録された機器等であって、定期的に更新されてもよいが、第１のネットワークの動作判断には利用されない。更なる他のネットワークシナリオは、第１のネットワークと１つ以上の他のネットワークとの統合を緊密なものとするが、衝突を最小化するための知的なスケジュール衝突の管理（たとえばネットワークが位置エリア更新、ページング情報などのような情報を共有する）が必要となる。たとえば、第１のＬＴＥネットワークが第２のＣＤＭＡ  １Ｘネットワークと強固に結合されている場合でも、ＬＴＥネットワークは、ＣＤＭＡ  １Ｘネットワークのスケジュール付近にアクセスしてくる機器の知的なスケジューリングが不可欠であり、その逆もまた然りである。
【００４５】
方法２００のステップ２０２において、クライアント機器は時間的制約に従い、第１のネットワークの１つ以上のタスクを分類する。ある典型的な実施形態において、１つ以上のタスクは最低でも"時間的制約のある"、"時間的制約のない"のカテゴリに分割されるが、他の型および／または数の分類（および事実上の分類スキーム）は、その後ここで説明されるように、発明と調和して用いられてよいことは自明だろう。ここでは、"時間的制約"、"時間的制約のある"、"時間的制約のない"、"非時間的制約のある"、などの用語は、ネットワーク内の機器の動作、又は、一時的なコンポーネントや要求（またはその有無）を有するネットワーク自身に関連する、任意の数の異なるタスク、動作、または要求を、限定なく広義に記述するために用いられる。時間的制約は、たとえばタスクや動作に基づいてもよく、当該タスクや動作は、（ｉ）クライアント機器またはＵＥをネットワークと通信させ続けるために必要であるか、（ｉｉ）時間的制約のある動作、又は、定期的な動作を支援するために（メディアのストリーミング、緊急通報、重要な更新のブロードキャストまたはビーコン等のタイミング要求やＱｏＳ要求を満たすために）必要であるか、および／または（ｉｉｉ）（たとえば応答時間を最大化するなどの）ユーザ指定のプリファレンスや要求を支援するためのものである。
【００４６】
加えて、タスクの"時間的制約のある"（つまり２状態の）階層を典型的な実施形態について説明する一方、他の任意の手法を利用してもよい。当該任意の手法には、異なるタイプの動作のための１以上の閾値を用いた線形スケール制約（たとえば１−１０）を用いる手法や、"常時／禁止"(always/never)手法（たとえばいくつかの活動またはタスクは常に時間的制約があり、他のものは時間的制約がない）がある。さらに、一時的な制約は、分類の基準として用いられうる１つの測定基準または特性にすぎず、他のものは、たとえば"ＱｏＳが必要"または"非ＱｏＳ"などが含まれてよい。
【００４７】
時間的制約はさらに、時間的制約のタイプに従って修正または分類されてよい。付加的な時間的要求の一般的な例は、制限なく（ｉ）固定時間（たとえばスロット、間隔、持続時間など）、（ｉｉ）要求される事前の時間、（ｉｉｉ）要求される事後の時間、（ｉｖ）要求される時間範囲、（ｖ）最大持続時間、（ｖｉ）最小持続時間、などを含む。さらに、いくつかの実施形態では、時間的制約はさらに、たとえば（ｉ）期待される実行時間、（ｉｉ）典型的な実行持続時間、などのような有用なメタデータによって注釈付けられてよい。
【００４８】
ある典型的な実施形態において、１つ以上のタスクは付加的に、１つ以上の他の修正因子に基づき分類される。他の分類の共通例は（ｉ）優先度、（ｉｉ）割り込み可能さ、（ｉｉｉ）関連ネットワーク、（ｉｖ）失敗した試行数など、を非限定的に含む。
【００４９】
たとえば、発明の一実施形態において、ｕｓｅｒ  ｅｑｕｉｐｍｅｎｔ（ＵＥ）はいくらかのＣＤＭＡ  １Ｘタスクを分類する。この例において、ＣＤＭＡ  １Ｘ  ｑｕｉｃｋ  ｐａｇｉｎｇ  ｃｈａｎｎｅｌ（ＱＰＣＨ）の監視は、厳密な時間スケジュールに従って実行されなければならない高優先度タスクである。他のアイドル・モード手順（たとえばセル選択、セル再選択、オーバーヘッド・メッセージの復号など）は低優先度タスクであり、より広い時間窓内で柔軟に実行されてよく、たとえばある場合には数百ミリ秒から数秒が許容されてよい。
【００５０】
さらに、モビリティ管理および他のＮｏｎ−Ａｃｃｅｓｓ  Ｓｔｒａｔｕｍ（ＮＡＳ）手順は、ＵＥが受信境界を超え、新たな登録が必要とされた際に引き起こされる。ＮＡＳ手順が開始されるとすぐ、ＣＤＭＡ  １Ｘネットワークは終了しなければならない（つまり、割り込み不可能である）。
【００５１】
さらに、前述のタスクは概してネットワーク・メンテナンスタスクである一方、本発明の様々な態様は、メディア処理タスク、データ転送タスク、ユーザインタフェース・タスクなどを含むがそれらに制限されない他の型のタスクに適しうる。実際、本発明を前提とすれば、当業者は本発明の様々な側面を、様々な時間的要求を有する複数の独立のデータ・ストリームを限定的なリソース内で扱われなければならないあらゆる手法に直ちに適用することができるであろう。
【００５２】
いくつかの実施形態において、タスクの様々な分類は第１のネットワークに制限される。たとえば、発明のある典型的な実施形態において、ＣＤＭＡ  １Ｘネットワークのタスクのみが分類される。以降でより詳細に説明するように、他のタスクは妥当な範囲で、ＣＤＭＡ  １Ｘネットワークの適切な動作の次に考慮される。しかしながら、別の実施形態では、２つ以上のネットワーク（たとえば第１および第２のネットワーク）が各タスクの適切な分類のために評価されてもよい。たとえば、ハイブリッド・ネットワーク動作の将来の実施はＣＤＭＡ  １ＸネットワークのタスクおよびＬＴＥネットワークのタスクのための分離された分類を含んでよい。
【００５３】
方法２００のステップ２０４において、クライアント機器は、１つ以上の第２のネットワークの１つ以上のタスクに少なくとも部分的に基づいて、関連ネットワーク（この例では第１のネットワーク）のための柔軟なタスクのスケジュールを決定する。
【００５４】
たとえば、一実施形態では、クライアント機器は、第１のネットワークのための１つ以上の時間的制約のあるタスクのスケジュールを決め、その後第２のネットワークの１つ以上のタスクのスケジュールを決め、そして残された利用可能なリソース内で、第１のネットワークの残った時間的制約のないタスクのスケジュールを決める。１つのそのようなシナリオでは、ＬＴＥネットワークおよびＣＤＭＡ  １Ｘネットワークに接続されたハイブリッドＵＥは、以降の順序、（１）時間的制約のあるＣＤＭＡ  １Ｘネットワークのタスク、（２）ＬＴＥネットワークのタスク、（３）時間的制約のないＣＤＭＡ  １Ｘタスク、その他、に従って適切なタイムスロットを割り当てることでスケジュールを生成する。
【００５５】
先述の通り、本発明の様々な別の実施形態はさらに、単なる時間的制約のあるタスク及び時間的制約のないタスクよりも細かく分類できることは明白である。たとえば、いくつかのネットワークのシナリオでは、さらに詳細な調整を可能にするために優先度の様々な分類を用いてもよい。例えば、優先度に関する所定の閾値を上回る時間的優先度の高いタスクの優先度を最高とし、続いて第２のネットワークのタスク、第１のネットワークのための残されたタスクの順とすることができる。
【００５６】
さらに、第１および第２のネットワークのタスクを分類する場合、様々なタスクをインタリーブするために様々な手法を用いてもよいことがさらに理解されよう。たとえば、そのような実施形態は、以下の（１）第１のネットワークのための第１の閾値の値を上回る、時間的に優先されたタスク、（２）第２のネットワークのための第１の閾値の値を上回る、時間的に優先されたタスク、（３）第１および第２のネットワークの時間的制約のないタスク、及び、その他、に従いタスクのスケジュールを決めてもよい。
【００５７】
さらに別のスケジューリングのための組み合わせおよび手法は、本開示の内容を前提として、当業者により本発明の様々な実施形態と共に用いるために修正されてよい。
【００５８】
方法２００のステップ２０６において、クライアント機器は決定されたスケジュールに従って１つ以上のタスクを実行する。
【００５９】
図２の手法は、連続するステップの観点で全般的に説明される一方、その順序は変更されてもよく、いくつかの場合には並行して実行されてよいこともまた自明である。たとえば、本発明は、２つ以上の「スケジューリング・スレッド」の使用を考慮することで、特定の個別の時間的制約のあるタスクは、時間があればまたはその後にスケジューリングされる。この「繰り返し」アプローチは、これらの任意のタスクの実行前に全タスクの全スケジューリングが完了しなくてもよい、という点で時間的な柔軟性をもたらす。むしろ、繰り返しモデル下では、あるタスクは、他のタスクのスケジューリングの完了とは無関係に、当該タスクのスケジューリングが完了次第、実行されてもよい。
【００６０】
［動作例］
ここで図３を参照して、特にＬｏｎｇ  Ｔｅｒｍ  Ｅｖｏｌｕｔｉｏｎ（ＬＴＥ）ネットワークおよびＣｏｄｅ  Ｄｉｖｉｓｉｏｎ  Ｍｕｌｔｉｐｌｅ  Ａｃｃｅｓｓ  １Ｘ（ＣＤＭＡ  １Ｘ）ネットワークの複数ネットワークのスケジューリングの制約に基づくクライアント機器のタスクの知的なスケジューリングの文脈において、図３の方法３００のある典型的な実施形態を示し、説明する。本発明の一実施形態では、ＬＴＥ／ＣＤＭＡ  １Ｘハイブリッド・ユーザ装置（ＵＥ）機器は、間欠受信（ＤＲＸ）動作中に複数の動作を実行する。
【００６１】
ＤＲＸは、セルラー機器内の消費電力削減のために一般に実施される方法である。ＤＲＸ動作中、ＵＥおよびＣＤＭＡ  １Ｘネットワークは、データ転送を開始しうる特定の時間間隔について合意する。ＵＥは、これらの特定の時間間隔においてのみ電源が入ればよい。それゆえ、機器がアクティブな転送用データを有していない場合、および、時間間隔同士の間において、機器はその受信機をオフに切り替え、低電力状態の「スリープ」にできる。
【００６２】
ＵＥ機器がＤＲＸスリープ周期から「起動」するたび、機器は以下、（ｉ）時間的制約のあるページングの監視（Ｐ１），（ｉｉ）より時間が重視されないアイドル・モード手順（Ｐ２），及び、（ｉｉｉ）時間的制約はないが割り込み可能でないＮｏｎ−Ａｃｃｅｓｓ  Ｓｔｒａｔｕｍ（ＮＡＳ）手順（Ｐ３）、の動作を実行しなければならない。
【００６３】
具体的に、Ｐ１型のタスクは厳密な時間的要求（たとえばスロット割り当てなどに従うＱＰＣＨの復号）に従わなくてはならない。Ｐ２型のタスクは、より時間が重視されず、そして数百ミリ秒（から数秒まで）の遅延またはリスケジュールされることが可能な、アイドル・モード手順を含む。Ｐ２型のタスクの一般的な例は制限なく、（ｉ）セル選択／再選択、（ｉｉ）オーバーヘッド・メッセージの復号、などを含む。Ｐ３型のタスクは、時間は重視されないが、タスクが開始されるとすぐ、タスクは完了されなければならない。Ｐ３のタスクは（たとえば、ＵＥがサービスの境界を越えて移動する場合や、新たな登録が必要とされる場合等における）モビリティ管理などを含む。他のタスクと異なり、Ｐ３タスクは割り込みを許容せず、一度開始されると終了するまで実行される。
【００６４】
図３に戻り、ＬＴＥ／ＣＤＭＡ  １Ｘハイブリッド・モード動作中、ＬＴＥ動作のアイドル状態またはＲＲＣ接続状態への影響を最小化するため、ＵＥ機器は、上記のタスクの優先度および待ち時間耐性に従い、ＣＤＭＡ  １Ｘの時系列の配列を最適化する。たとえば、Ｐ１型のトランザクションは交渉の余地が無く、スロット割当毎に厳密に処理さればならない。しかしながら、Ｐ１型のトランザクションは一般的にそれほど時間がかからない。たとえば、ｐａｇｉｎｇ  ｃｈａｎｎｅｌ（ＰＣＨ）／ｑｕｉｃｋ  ｐａｇｉｎｇ  ｃｈａｎｎｅｌ（ＱＰＣＨ）の復号が完了するとすぐ、ＵＥはＬＴＥ動作に復帰できる。したがって、方法３００のステップ３０２において、ＵＥはＰ１トランザクションのスケジュールを決める。
【００６５】
その後、ＵＥはＬＴＥの活動との衝突を避けるためのＰ２型トランザクションのスケジュールを決める。そして、１つ以上のＬＴＥの活動がステップ３０４においてスケジューリングされ、そして残りのタイムスロットがステップ３０６においてＰ２型のトランザクションのためにスケジューリングされる。さらに、Ｐ２のトランザクションがさらに複数の単純な手順にグループ分けまたは分割されうる。ＣＤＭＡ  １ＸネットワークおよびＬＴＥネットワーク間の交互の切り替えが本質的により低効率である一方で、これらのより小さな基本的処理は、各処理の完了に時間がかからないため、管理しやすい。ことによると、これらのより小さな基本的処理は、ＬＴＥ動作の隙間に簡易そして知的にスケジュールされてもよい。
【００６６】
最後に、Ｐ３のタスクがステップ３０８においてスケジューリングされる。Ｐ３のタスクは時間的に柔軟であるが、一度開始されると完了しなければならない。
【００６７】
いくつかの場合において、前述の各タスクにさらに相互関係を持たせてもよいことが理解されよう。たとえば、ＮＡＳ手順はそれ自体としては時間的制約がない一方、最新のＮＡＳデータは、セル選択／セル再選択のような他のタスクを減らすのみ役立つ。それゆえ、特定のＰ３タスクを延期してもよい一方で、多数の延期の後にそのようなタスクをより高く優先度付けしてもよい。また特定のタスクを確実に優先するための他の方法では、たとえば優先度の重み、カウンターの値などを増加させることができる。
【００６８】
最後に、方法のステップ３１０において、ＵＥはスケジュールされたタスクを実行する。
【００６９】
［装置］
図４を参照し、典型的なユーザ装置（ＵＥ）４００をより詳細に説明する。ＵＥは、（ｉ）１つ以上の無線周波数（ＲＦ）フロントエンド４０２、（ｉｉ）１つ以上のベースバンドプロセッサ４０４、および（ｉｉｉ）少なくとも１つのアプリケーション・プロセッサ４０６および関連するメモリ４０８、を含む。様々な実施において、ＲＦフロントエンドおよびベースバンドプロセッサはさらに、単一の無線技術を扱うように特化、または複数の無線技術を網羅するよう一般化されてよい。
【００７０】
図示するように、典型的なＵＥはＬＴＥネットワークおよびＣＤＭＡ  １Ｘネットワークのそれぞれへのインタフェースに適した第１および第２のベースバンドプロセッサに結合される第１のＲＦフロントエンドを含む。但し、当該構成は単に説明的なものであって、ＧＳＭ、ＧＰＲＳ、ＥＤＧＥ、ＷＣＤＭＡ、ＣＤＭＡ２０００、ＣＤＭＡ  １Ｘ  ＥＶＤＯ、ＬＴＥ−Ａ（Ａｄｖａｎｃｅｄ）等の他のセルラー技術の様々な組み合わせを含む多様な実装が可能であることが理解されよう。さらに、簡単のために単一のＲＦフロントエンドのみを示す一方、ＲＦフロントエンドは複数の受信アンテナおよび／または送信アンテナおよび／またはチェーンを含みうる（また一般的には含むことになる）ことが理解されよう。たとえば、周知のＭＩＭＯ（Ｍｕｌｔｉｐｌｅ  Ｉｎ  Ｍｕｌｔｉｐｌｅ  Ｏｕｔ）、ＳＩＳＯ（Ｓｉｎｇｌｅ  Ｉｎ  Ｓｉｎｇｌｅ  Ｏｕｔ）、ＭＩＳＯ（Ｍｕｌｔｉｐｌｅ  Ｉｎ  Ｓｉｎｇｌｅ  Ｏｕｔ）、およびＳＩＭＯ（Ｓｉｎｇｌｅ  Ｉｎ  Ｍｕｌｔｉｐｌｅ  Ｏｕｔ）のアンテナ構成は関連技術において広く使用されており、これらを本発明に適合させて使用してもよい。
【００７１】
また、本発明のある典型的な実施形態において、ＵＥ４００はさらに、様々な１つ（以上）のアンテナ４０２へいずれか１つ（以上）のベースバンドプロセッサ４０４を接続できるスイッチング機構４１０を含む。図示するところのスイッチング機構は、ＬＴＥベースバンドまたはＣＤＭＡ  １ＸベースバンドをＲＦフロントエンドへ接続するよう適合されている。しかしながら、共通の実施形態において、１つのベースバンドプロセッサを１つのアンテナへ（「一対一」）接続してもよく、それ以外にも一対多、多対一等で接続してもよい。この「スイッチング」性能が望ましい理由は数多くあるが、例えば（ｉ）電源管理、（ｉｉ）処理効率／柔軟性、および（ｉｉｉ）アンテナ分離の制約が移動体機器の無線のサブセットのみがいつでもアクティブであることを要求してよいことを含む。ＳＦＦ（small form factor）設計によっては、動作中に複数のアンテナを完全に分離できる十分な空間がなく、結果として、一つのアンテナだけがいつでもアクティブとなりえることがある。同様に、ただ一つの無線インタフェースがいつでも共通アンテナを使用できるようにするために、所定のフォームファクタ設計では、異なる無線インタフェースのためにアンテナを再利用してよい。尚、当業者には他の動機（たとえば商売または利益の考慮、ネットワーク利用率等）も当然に存在するであろうが、本出願ではこれ以上議論しない。
【００７２】
さらに、一般にＵＥ４００内に共通に組み込まれるが、ここでは更に述べていない他のコンポーネントが存在することは理解されよう。たとえば、ＵＥは、ユーザインタフェース・コンポーネント（ディスプレイ画面、ボタン、タッチ画面、ダイアル、など）、メモリ・コンポーネント（たとえばＲＡＭ（Ｒａｎｄｏｍ  Ａｃｃｅｓｓ  Ｍｅｍｏｒｙ）、フラッシュ、ハードディスクドライブ（ＨＤＤ）など）、電源管理コンポーネント（たとえばバッテリ、充電コンポーネントなど）、および外部インタフェース（たとえばＦｉｒｅＷｉｒｅ、Ｕｎｉｖｅｒｓａｌ  Ｓｅｒｉａｌ  Ｂｕｓ（ＵＳＢ）、Ｔｈｕｎｄｅｒｂｏｌｔなど）を含んでよい。
【００７３】
さらに、図４に示すＵＥは、ただ単にある典型的な実施形態の例示であることは理解されるべきである。さらに本発明とともに有用な他の変更は、それぞれが参照により本明細書に組み込まれる、共有および同時係属する米国特許出願６１／＿＿＿＿＿＿（２０１１年５月２５日出願、名称「デュアル・ネットワークの携帯機器無線ソース管理」）、米国特許出願６１／＿＿＿＿＿＿（２０１１年４月２２日出願、名称「複数無線アクセス技術間の共存を支援する単一無線機器」）、米国特許出願６１／＿＿＿＿＿＿（２０１１年４月６日出願、名称「複数ネットワークの携帯機器接続管理」）、米国特許出願６１／＿＿＿＿＿＿（２０１１年１月１４日出願、名称「デュアル回路構造を有する複数モードのユーザ装置」）、にてより詳細に説明される。
【００７４】
ベースバンドプロセッサ４０４はスケジューリング・エンジン４１２に接続される。当該スケジューリング・エンジン４１２は、タスクの時間的制約に従って１つ以上のネットワーク・リソースをスケジューリングするように構成されている。ある典型的な実施形態において、スケジューリング・エンジンは、ベースバンドプロセッサから１つ以上のタスクを取得し、１つ以上の他のネットワークの様々な時間的制約に従ってタスクのスケジュールを決定するコンピュータプログラムを含む。他の方法を採用することも可能であり、例えば、ソフトウェアと論理回路等の組み合わせを用いてもよい。
【００７５】
変形例として、スケジュール情報は、１以上の他のネットワークの既知の動作に基づいてもよいし、或いは、明示的なメッセージによりスケジューリング・エンジン４１２に対して通知されてよい。たとえば、１つ以上の他のネットワークのピアネットワーク・エンティティは、たとえば既知のページング・スケジュールをスケジューリング・エンジンに提供してよい。他の変形例では、スケジューリング・エンジンがスケジュール情報を推測的に把握してもよい。たとえば、スケジューリング・エンジンは、１つ以上の他のネットワークに関連するスケジューリング情報で製造されていてもよいし、或いは、たとえば製造機関または他の管理エンティティによってそのような情報が更新されてよい。当該更新の受信は、無線インタフェースや他のインタフェース（たとえば有線を含む）を介して行われてもよい。また別の変形例では、エンジン４１２は、１以上の動作パラメータを時間的に観察してスケジュールまたはパターンを推測または推定できるよう"知的"なものであってもよい。たとえば、ＵＥ（およびそのエンジン４１２）が規則的な所定間隔で発生する所与のイベントを検出した場合、スケジュールに関する推測的或いは他の知識が無くとも、これらの観察に基づいてスケジュールを推定することができる。
【００７６】
発明の特定の側面を、方法における特定のシーケンスのステップとの関連で記述したが、当該記述は発明のより広範な方法の単なる説明であって、特定のアプリケーションの要求に従って修正されてもよい。特定のステップは特定の状況下では、不要であってもよいし、また、任意的なものとされてもよい。さらに、開示の実施形態に対して特定のステップや機能を追加してもよく、また２以上のステップの実行順序を入れ替えてもよい。そのような変更は全て、明細書及び特許請求の範囲に記載される発明の範囲に含まれるものである。
【００７７】
以上の詳細な説明においては、様々な実施形態に適用される発明の新規な特徴を示し、説明し、指摘した一方で、説明に係る機器やプロセスの形態および詳細に関する様々な省略、代用、および変更が、発明から逸脱することなく当業者によってなされてよいことは理解されるだろう。本説明は限定を意味するものではなく、むしろ発明の一般的な原理の実例として解釈されるべきである。発明の範囲は特許請求の範囲を参照して決定されるべきである。
【図１】
0005809744.tif 000002
【図２】
0005809744.tif 000003
【図３】
0005809744.tif 000004
【図４】
0005809744.tif 000005